(57)【特許請求の範囲】
【請求項１】
設置部に一体化されているアンカーボルトとベースプレートに形成されたアンカーボルト貫通孔に前記アンカーボルトを貫通するボルト挿入孔を有する子座金と、この子座金を挿入する貫通孔を変心位置に有する親座金とからなる親子座金を介して前記アンカーボルトにねじ込んだナットでベースプレートが、前記設置部に一体化されてなるベースプレート設置構造であって、前記親子座金の下端面には、突起が形成されていて、少なくとも前記親子座金の下端面と前記設置部上面との間の間隙が、非圧縮性充填材により充満され、かつ、前記突起が、前記非圧縮性充填材中に突入され、前記親子座金と前記充填材が一体化されてなることを特徴とするベースプレート設置構造。
【請求項２】
請求項１に記載のベースプレート設置構造の施工方法であって、前記ベースプレートと設置面との間に間隙を設けて、前記親子座金を介して、アンカーボルトにより前記ベースプレートを設置し、次に前記間隙に非圧縮性充填材を、前記親子座金の下端面に形成されている突起が前記非圧縮性充填材中に突入するまで注入して、前記ペースプレート下面及び前記両スカートの下端面と設置面との間に前記充填材を充満させることを特徴とする施工方法。
【発明の詳細な説明】
【技術分野】
【０００１】  本発明は、設置部に一体化されているアンカーボルトとベースプレートに形成されたアンカーボルト貫通孔に前記アンカーボルトを貫通するボルト挿入孔を有する子座金と、この子座金を挿入する貫通孔を偏心位置に有する親座金とからなる親子座金を介して前記アンカーボルトにねじ込んだナットでベースプレートが、前記設置部に一体化されてなるベースプレート設置構造とその施工方法に関する。
【背景技術】
【０００２】  従来、地面に埋設されるアンカーボルトとこれに固定されるベースプレートとの間の孔あわせを容易にするために、下記の特許文献に例示されるように、上記構成を持つ親子座金が幾度となく提案されてきた。
しかし、当該親子座金は、未だ実用に供されるようなものではなかった。ベースプレートに形成されたアンカーボルトの挿通用孔は、この一枚の座金によるものに比べ大きいことが前提であるがために、偏心位置でのアンカーボルトの締め付けは単座金の場合に比べ大きな不均衡応力の発生を招くことになるが、親子座金の組み立て及び取り付けにはスカート部とそれを挿入する孔内面との間にクリアランスを設ける必要があり、このクリアランスによって、前記不均衡応力による座金の変形を招く恐れを払拭し切れなかったことにある。【０００３】
【特許文献１】特開平６−７４２２７
【特許文献２】特開平７−２９２７７２
【特許文献３】特開平１０−２１３１２３
【特許文献４】特開２００６−１１８２４２
【特許文献５】特開２００７−５７００４
【発明の開示】
【発明が解決しようとする課題】
【０００４】  本発明は、このような実情に鑑み、親子座金による組み立ての容易性を確保しながら、座金変形のおそれを払拭できるようにすることを課題とした。
【課題を解決するための手段】
【０００５】  発明１のベースプレート設置構造は、親子座金の下端面には、突起が形成されていて、少なくとも前記親子座金の下端面と前記設置部上面との間の間隙が、非圧縮性充填材により充満され、かつ、前記突起が、前記非圧縮性充填材中に突入され、前記親子座金と前記充填材が一体化されてなることを特徴とする。【０００６】  発明２は、発明１のベースプレート設置構造の施工方法であって、前記ベースプレートと設置面との間に間隙を設けて、前記親子座金を介して、アンカーボルトにより前記ベースプレートを設置し、次に前記間隙に非圧縮性充填材を前記親子座金の下端面に形成されている突起が前記非圧縮性充填材中に突入するまで注入して、前記ペースプレート下面及び前記両スカートの下端面と設置面との間に前記充填材を充満させることを特徴とする。
【発明の効果】
【０００７】  上記構成により、親子座金は、その下端面が、ベースプレートと同様に設置面により直接支えられることとなるので、座金の変形するような不均衡応力を発生する余地がなくなった。
【発明を実施するための最良の形態】
【０００８】  以下に、本発明の最良の実施形態を例示するが、本発明はこれによって限定されるものではない。
【実施例１】
【０００９】  （１）は、ベースプレートであって、所定箇所に親座金（３）を挿入する貫通孔（１ａ）が形成してある。
（２）は、アンカーボルトであって、下半部は、設置部（Ｇ）に埋設して律せつしてある。
（３）は、親座金であって、前記貫通孔（１ａ）に挿入可能な直径の円柱状のスカート部（３ｂ）の上端部に、前記貫通孔（１ａ）より大きな直径のフランジ部（３ａ）が一体形成されている。また、これらを貫通し、前記スカート部（３ｂ）の偏心位置に子座金（４）を挿入する貫通孔（３ｃ）が形成してある。
（４）は、子座金であって、前記親座金（３）の貫通孔（３ｃ）に挿入されるスカート部（４ｂ）の上端に、前記貫通孔（３ｃ）より大きな直径のフランジ部（４ａ）とが一体形成されている。また、これらを貫通し、前記スカート部（４ｂ）の偏心位置に前記アンカーボルト（２）を挿入する貫通孔（４ｃ）が形成してある。
（５）は、前記アンカーボルト（２）にねじ込み、前記ベースプレートを締め付けるナットで、（６）は緩み止めナットである。
（１０）は、非圧縮モルタルであって、前記ベースプレート（１）に形成した注入口（１ｂ）より、設置部（Ｇ）の上面と、前記ベースプレート（１）との間隙に圧入され充填されたものである。
（１０ａ）は、充填された非圧縮モルタル（１０）の内、前記親子座金（３）（４）のスカート部（３ｂ）（４ｂ）の下端面に存在する空間に回りこみここに充満した部分を示す。
当該箇所により、前記スカート部（３ｂ）（４ｂ）の下端面は、非圧縮モルタル（１０）を介して設置部に設置されることとなる。【００１０】  以上のように、設置する方法を次に説明する。
ベースプレート（１）の設置部（Ｇ）の中央部にレベルモルタル（１１）を設置し、当該レベルモルタル（１１）上に前記ベースプレート（１）を設置する。こののとき、親子座金（３）（４）を介して、アンカーボルト（２）にナット（５）を締め付け、ベースプレート（１）の傾斜角度や位置を調整する。
このようにして、ベースプレート（１）と設置部（Ｇ）上面との間に間隙を形成する。
次に、この間隙の周囲を型枠（１２）で囲って、非圧縮モルタル（１０）の漏れ出しを阻止してから、この間隙に前記注入口（１ｂ）より非硬化状態の非圧縮モルタル（１０）を圧入する。このようにしてベースプレート（１）の下面、親子座金の下端面と設置部（Ｇ）の上面との間隙を非圧縮モルタル（１０）を充満させ、硬化した後に、前記型枠（１２）を除去する。【００１１】  なお、前記スカート部（３ｂ）の長さ（Ｌ）とベースプレート（１）の厚さとの差は、前記非圧縮モルタル（１０）の粘性と圧入圧力により決められる流動性に合わせ、当該下端面の略全体に前記モルタル（１０）が接触するようにしてある。
また、図では、（Ｌ）がベースプレート（１）の厚さよりも短い場合を示しているが、逆に大きい場合も同様な設定をおこなうのが好ましい。
また、前記スカート部（４ｂ）の長さ（Ｌ１）も、同様な調整を行うのが好ましい。
図示では、スカート部（３ｂ）（４ｂ）の下端面が同じレベルとなるように設定したものを示したが、一方が他方より下方に突出していることを排除する意味ではない。
図５から図８に示すように、角錐状の突起（３ｄ）（４ｄ）をスカート部（３ｂ）（４ｂ）に下面に規則的に形成したものである。
このように、突起（３ｄ）（４ｄ）を形成することで、非圧縮モルタル上面との一体化し、強固にかつ安定して、ベースプレートとアンカーボルトとの結合を維持することが可能となった。
なお、突起（３ｄ）（４ｄ）の形状は、角錐状に限らず、半球状、部分球状或いは角柱状、円柱状などの形状を有さしめることも可能である。
【図面の簡単な説明】
【００１２】
【図１】実施例１の設置状態の要部を示す、一部切り欠き分解斜視図
【図２】実施例１の施工途中の状態を示す縦断正面図
【図３】実施例１の親座金を示す縦断正面図
【図４】実施例１の子座金を示す縦断正面図
【図５】実施例１の突起の例を示す親座金の底面図
【図６】図５のＡ−Ａ断面図
【図７】実施例１の突起の例を示す子座金の底面図
【図８】図７のＡ−Ａ断面図
【符号の説明】
【００１３】（１）ベースプレート
（１ａ）貫通孔
（１ｂ）注入口
（２）アンカーボルト
（３）親座金
（３ａ）フランジ部
（３ｂ）スカート部
（３ｃ）貫通孔
（３ｄ）突起
（４）子座金
（４ａ）フランジ部
（４ｂ）スカート部
（４ｃ）貫通孔
（４ｄ）突起
（５）ナット
（６）緩み止めナット
（１０）非圧縮モルタル
（１０ａ）非圧縮モルタル充満部分
（１１）レベルモルタル
（１２）型枠
（Ｇ）設置部
（Ｌ）（Ｌ１）スカート部長さ
【図１】
0005365819.tif 000002
【図２】
0005365819.tif 000003
【図３】
0005365819.tif 000004
【図４】
0005365819.tif 000005
【図５】
0005365819.tif 000006
【図６】
0005365819.tif 000007
【図７】
0005365819.tif 000008
【図８】
0005365819.tif 000009